(57)【要約】【課題】移動無線システムにおいて非明示的に要求されたデータの伝送システムを改善する。【解決手段】アプリケーションコンピュータと伝送ネットワークと、移動無線機器とを有する移動無線システムにおいて非明示的に要求されたデータを伝送するためのシステムであって、移動無線機器は伝送ネットワークに、情報に該当するデータの送信を通知する形式のシステムにおいて、前記情報は伝送ネットワークに、どの順序でデータを移動無線機器に送信すべきかを指示することを特徴とするシステム。【選択図】図２
2008263628.tif 000002
【特許請求の範囲】
【請求項１】
アプリケーションコンピュータ（１）と、伝送ネットワーク（２）と、移動無線機器（３）とを有する移動無線システムにおいて非明示的に要求されたデータを伝送するためのシステムであって、
移動無線機器は伝送ネットワークに、情報に該当するデータの送信を通知する形式のシステムにおいて、
前記情報は伝送ネットワークに、どの順序でデータを移動無線機器に送信すべきか指示する、
ことを特徴とするシステム。
【請求項２】
前記情報は伝送ネットワークに、いつデータを移動無線機器に送信すべきか指示する、請求項１記載のシステム。
【請求項３】
伝送ネットワークは、アプリケーションコンピュータから受信されたデータを中間記憶するための記憶手段（４）を有する、請求項１または２記載のシステム。
【請求項４】
中間記憶されたデータは、移動無線機器により指示された情報に依存してさらに送信される、請求項３記載のシステム。
【請求項５】
伝送ネットワークはネットワークコンピュータ（５）を有し、該ネットワークコンピュータは移動無線機器への伝送を開始する、請求項１から４までのいずれか１項記載のシステム。
【請求項６】
前記開始は、移動無線機器により指示された情報に依存して行われる、請求項５記載のシステム。
【請求項７】
アプリケーションコンピュータ（１）と、伝送ネットワーク（２）と移動無線機器（３）とを有する移動無線システムにおいて非明示的に要求されたデータを伝送する方法であって、移動無線機器は伝送ネットワークに、情報に該当するデータの送信を通知する伝送方法において、
前記情報は伝送ネットワークに、どの順序でデータを移動無線機器に送信すべきか指示する、
ことを特徴とする方法。
【請求項８】
前記情報は伝送ネットワークに、いつデータを移動無線機器に送信すべきか指示する、請求項７記載の方法。
【請求項９】
伝送ネットワークは、アプリケーションコンピュータから受信されたデータを中間記憶するための記憶手段（４）を有する、請求項７または８項記載の方法。
【請求項１０】
中間記憶されたデータを、移動無線機器により指示された情報に依存してさらに送信する、請求項９記載の方法。
【請求項１１】
伝送ネットワークはネットワークコンピュータ（５）を有し、該ネットワークコンピュータは移動無線機器への伝送を開始する、請求項７から１０までのいずれか１項記載の方法。
【請求項１２】
前記開始は移動無線機器により指示された情報に依存して行われる、請求項１１記載の方法。
【発明の詳細な説明】
【技術分野】
【０００１】
本発明は、移動無線システムにおいて非明示的要求データを伝送するシステムおよび方法に関する。
【背景技術】
【０００２】
情報、例えばデータまたはマルチメディアコンテントを、パケット伝送ベースの移動無線網で交換する容量はますます増大している。移動無線機器のキーボードを介した情報の問い合わせは特別快適なものではないから、所望の情報をいわゆるプッシュサービスを介して問い合わせる手段が存在する。ここでは情報がサーバから自動的に移動無線機器に送出され、その際にサーバが明示的に特定データを問い合わせることはない。
【０００３】
典型的には移動無線ユーザはテーマ群または情報の上位概念を指示し、これに従いユーザは所望の情報を自分の移動無線機器に送出させる。技術的に見てプッシュサービスは、ネットワーク主導型のポイント・ツー・ポイント・サービスフューチャである。
【０００４】
この可能なプッシュサービスシステムの基本的構造は３ＧＰＰ（3rd Generation Partnership Project）機関のＴＲ２３．９７４仕様に記載されている。
【０００５】
しかしこのことにより問題が発生した。なぜならプッシュサービスによって通知される情報は移動無線ユーザの具体的問い合わせに応じてユーザに送出されるものではないからである。移動無線機器は到来する情報に対して制限されたメモリ容量しか有していない。この理由から問題が生じる。なぜなら情報の送信者は、情報をさらに移動無線機器に送信できるのか否かについて知らないからである。
【０００６】
到来する情報は移動無線機器によって通常は音響的信号を用いて指示される。情報が連続的に移動無線機器に到来すべき場合、このことは移動無線加入者に対して煩わしいものである。この理由から、このサービスのユーザが到来するメッセージによって常時妨げられるようなことのない、プッシュサービス受信のための手段が所望される。
【０００７】
さらに公知のプッシュサービスでは、受信データが大量の場合、ユーザはどのデータが自分にとって重要であり、どのデータが自分にとってさほど重要でない情報であるかを決定するのが困難であるという問題がある。この理由から、プッシュサービスのユーザに対して、データを重要度に相応して受け取ることのできることが所望される。
【発明の開示】
【発明が解決しようとする課題】
【０００８】
本発明の課題は、移動無線システムにおいて非明示的に要求されたデータの伝送システムを改善することである。
【課題を解決するための手段】
【０００９】
この課題は、アプリケーションコンピュータと伝送ネットワークと、移動無線機器とを有する移動無線システムにおいて非明示的に要求されたデータを伝送するためのシステムであって、移動無線機器は伝送ネットワークに、情報に該当するデータの送信を通知する形式のシステムにおいて、
前記情報は伝送ネットワークに、どの順序でデータを移動無線機器に送信すべきかを指示することを特徴とするシステム、ないしは
アプリケーションコンピュータと伝送ネットワークと移動無線機器とを有する移動無線システムにおいて非明示的に要求されたデータを伝送する方法であって、移動無線機器は伝送ネットワークに、情報に該当するデータの送信を通知する伝送方法において、
前記情報は伝送ネットワークに、どの順序でデータを移動無線機器に送信すべきかを指示する、ことを特徴とする方法によって解決される。有利な実施形態は従属請求項に記載されている。
【００１０】
移動無線システムにおいて非明示的に要求されたデータの本発明による伝送システムはアプリケーションコンピュータ、伝送ネットワーク、および移動無線機器を有する。アプリケーションコンピュータは例えばアプリケーションサーバとすることができる。このアプリケーションサーバはプッシュサービスを伝送ネットワーク、例えばインターネットプロトコル接続を介して移動無線機器に送信する。
【００１１】
伝送ネットワークは、アプリケーションコンピュータと移動無線機器との間の接続を可能にするネットワークである。伝送ネットワークは例えばＧＰＲＳ（General Packet Radio Service）ネットワークとすることができる。
【００１２】
移動無線機器は、プッシュサービスの適用をサポートする端末機である。
【００１３】
情報をアプリケーションコンピュータから移動無線機器へさらに転送すべき場合、このことは伝送ネットワークが、どれだけのメモリスペースが移動無線機器でプッシュサービス情報の記憶のために使用可能であるかを知っている場合だけ意味のあることである。
【００１４】
本発明の有利な実施形態では、移動無線機器は別の伝送ネットワークにデータに対するメモリスペースがいつなくなるかを通知する。
【００１５】
メモリ領域を移動無線機でもはや使用できなくてもなお情報を移動無線機器に送信することが必要な場合、基本的に２つの手段がある。１つは送信されない情報を中間記憶することである。メモリスペースが移動無線機器で使用可能になると直ちに、この中間記憶された情報は移動無線機器にさらに送信される。
【００１６】
しかし本発明の実施形態によればもう１つの手段がある。すなわち移動無線機器がすでに占有されたメモリ領域を受信された情報による上書きのために開放するのである。このことは例えば、比較的重要でない情報が書き込まされたメモリ領域に対して考えられる。ここでユーザは、どの情報を自分がさほど重要でないと見なしているか、またはどのメモリ領域を重要な情報による上書きのために開放すべきかを定義することができる。
【００１７】
本発明の別の有利な実施形態では、伝送ネットワークはアプリケーションコンピュータから受信されたデータを中間記憶するための記憶手段を有する。記憶手段はいずれかの形式のメモリとすることができる。プッシュサービスの情報はアプリケーションコンピュータから伝送ネットワークへさらに転送される。情報を所定の移動無線機器にさらに転送する直接的手段が存在しなければ、情報は記憶手段に中間記憶される。このようにしてデータをアプリケーションコンピュータから伝送ネットワークへ送信することが常に可能となる。移動無線機器が再び受信できる状態になると、中間記憶されたデータは記憶手段から移動無線機器に転送される。
【００１８】
ここで中間記憶されたデータをさらに送信することは、移動無線機器により指示された情報に依存する。移動無線機器が例えば伝送ネットワークに、目下のところ情報を受信するためのメモリを用意できないことを指示すると、記憶手段は移動無線機器に対する所定のデータを、この移動無線機器が伝送ネットワークにデータ受信のためのメモリスペースが再び十分になったことを指示するまで記憶する。ここで情報交換はエアインタフェースを介して行われる。
【００１９】
本発明の別の有利な実施形態では、伝送ネットワークはネットワークコンピュータを有し、このネットワークコンピュータは移動無線機器への伝送を開始する。このネットワークコンピュータは移動無線機器から、そこに存在するメモリ容量についての情報を受け取る。ネットワークコンピュータによる送信の開始はここでは、移動無線機器により指示された情報に依存して行われる。従ってネットワークコンピュータはある程度の制御機能を伝送システムで実行する。ネットワークコンピュータには、どのデータが記憶手段に中間記憶されているか、ないしは移動無線機器へのどのデータ伝送が未だ行われていないかが既知である。
【００２０】
本発明はまた、移動無線システムにおいて非明示的に要求されたデータの伝送システムに関するものである。ここで移動無線システムはアプリケーションコンピュータ、伝送ネットワークおよび移動無線機器を有し、移動無線機器は伝送ネットワークに該当情報のデータの送信を通知する。
【００２１】
本発明の有利な実施形態では、移動無線機器の情報が伝送ネットワークに、いつデータをこの移動無線機器に送信すべきかを指示する。この目的のために伝送ネットワークには、いつ最適にプッシュサービスのデータを移動無線機器に送信できるかという時間窓が通知される。このことは、ユーザがプッシュサービスの受信時に常に妨げられるわけではないというバックグランドを有する。この手段によってユーザは常に正確に、いつ新たなプッシュサービスが到来し得るかを知る。ここで移動無線加入者は送信時点を自分の移動無線機器を介する入力によって決定する。ネットワークプロバイダにより送信時点を例えばネットワーク負荷に依存して設定することも考えられる。
【００２２】
本発明の別の有利な実施形態では、移動無線機器はデータの所望の送信時点をネットワークコンピュータに通知し、ネットワークコンピュータは相応に送信を開始する。
【００２３】
本発明の別の有利な実施形態では、移動無線機器の情報は伝送ネットワークに、どの順序でデータを移動無線機器に送信すべきかを指示する。ユーザが複数のプッシュサービスを予約購読している場合、ユーザは各プッシュサービスに所定の値数を割当てることができる。複数のプッシュサービスの到来時に、データはこの値数に相応して、すなわち優先度の高低に応じて、移動無線機器に送信される。ここでは例えば証券情報にはスポーツ情報よりも高い優先度を割当てることができる。従って新しい証券情報は新しいスポーツ情報よりも早期にユーザに送信される。しかしネットワークプロバイダが値数を設定することも考えられる。
【００２４】
相応のことが、アプリケーションコンピュータから受信された情報を中間記憶するための記憶手段の使用の際にも当てはまる。処理すなわち中間記憶された情報のさらなる送信は、ここでも予約購読されたプッシュサービスに割当てられた値数に基づいて行われる。
【００２５】
中間記憶されたデータは、移動無線機器により指示された情報に依存してさらに送信される。従ってユーザはどのようにして自分がプッシュサービスを受信したいかを定めることができる。
【００２６】
ネットワークコンピュータは、送信の時間ないし順序に関連する情報を移動無線機器から受け取る。従ってネットワークコンピュータは所定の制御機能を伝送システムで実行する。ネットワークコンピュータは例えば伝送ネットワーク、すなわち記憶手段から移動無線機器への伝送を開始する。
【実施例】
【００２７】
本発明を以下、添付図面に基づいて詳細に説明する。そこに示された特徴およびすでに上記に述べた特徴は前記の組合せだけでなく、個別でもまたは他の組合せでも本発明である。
図１は、移動無線システムにおいて非明示的に要求されたデータの伝送システムの概略図である。
図２は、移動無線システムにおいて値数に依存する伝送が行われる、非明示的に要求されたデータの伝送システムの概略図である。
【００２８】
図１は、アプリケーションコンピュータ１と、記憶手段４およびネットワークコンピュータ５を有する伝送ネットワーク２を示す。さらに図１は移動無線機器３を示す。プッシュサービスデータは矢印７により示されているように、アプリケーションコンピュータ１から伝送ネットワーク２に送信される。そこでプッシュサービスデータは記憶手段４に中間記憶される。矢印８により示されているように、ネットワークコンピュータ５は移動無線機器３から、この移動無線機器において使用可能な記憶容量についての情報を受信する。この情報に依存して、記憶手段４に記憶されているデータは矢印１０により示されるように移動無線機器３に送信される。
【００２９】
例えば多数の情報をアプリケーションコンピュータ１から伝送ネットワーク３へ送信すべき場合であって、ネットワークコンピュータ５が移動無線機器３から、この移動無線機器が目下のところアプリケーションコンピュータ１の情報を受け入れるために十分なメモリスペースを使用できないことを知っていれば、これらのデータは記憶手段４に中間記憶される。例えばユーザが古い情報を読み、その後削除したことにより、移動無線機器３で再び十分なメモリスペースが使用できるようになると直ちに、この情報はネットワークコンピュータ５に送信される。相応してネットワークコンピュータは記憶手段４に中間記憶されている情報を移動無線機器３にさらに転送する。
【００３０】
さらに移動無線機器３がネットワークコンピュータ５に、この移動無線機器には新たな情報を受け入れるための十分なメモリスペースがないことを指示した場合に、メモリ領域を新たに受信されるデータによる上書きのために開放することもできる。ここでは、ユーザによりすでに読まれているが、なお移動無線機器に記憶されている情報に上書きすることが考えられる。メモリ領域に上書きすることのできる情報はユーザの制御によりネットワークコンピュータ５に転送される。相応にしてネットワークコンピュータ５はさらなる伝送を開始する。
【００３１】
図２は、移動無線システムにおいて非明示的に要求されたデータを伝送するための本発明よるシステムの別の実施例を示す。アプリケーションコンピュータ、伝送システム、記憶手段、ネットワークコンピュータ、および移動無線機器は上記の図１の説明に相応して図２に示されている。矢印６，７，８は、情報がアプリケーションコンピュータ１からシーケンシャルに伝送ネットワーク２へ、すなわち記憶手段４へ到来できることを示している。
【００３２】
実施例では記憶手段４に中間記憶されたデータが所定の時点からシーケンシャルに順次、移動無線機器３に送信される。すなわち最初にデータ流９，それからデータ流１０，最後にデータ流１１である。ここでユーザは移動無線機器３を介して、自分がいつプッシュサービスのデータを受信したいかという時間情報をネットワークコンピュータ５に設定する。
【００３３】
別の実施例では、種々異なるプッシュサービステーマに該当するデータがアプリケーションコンピュータ１から伝送ネットワーク２へ送信される。ここでは例えば渋滞情報がまずデータ流６を介して受信される。続いて天気予報がデータ流７を介して、最後に政治ニュースがデータ流８を介して受信される。データは記憶手段４に中間記憶される。ユーザに対して天気予報は最高の優先度を有し、またユーザに対して政治ニュースは渋滞情報よりも重要であるから、ユーザは相応にネットワークコンピュータ５に、情報が中間記憶されている場合には常に最初に天気予報、次に政治ニュース、最後に渋滞情報を受信したいことを通知する。相応してまずデータ流９を介して天気予報、次にデータ流１０を介して政治ニュース、最後にデータ流１１を介して渋滞情報が記憶手段４から移動無線機器３に送信される。
【００３４】
この措置を、移動無線機器３で記憶容量が不足しているため中間記憶が行われた場合だけ適用することもできる。さらにプッシュサービス情報を常に所定の時間間隔だけ中間記憶し、これにより重要度に依存する選択が行われるようにすることもできる。相応に時間依存する送信と組み合わせることも可能である。
【図面の簡単な説明】
【００３５】
【図１】図１は、移動無線システムにおいて非明示的に要求されたデータの伝送システムの概略図である。
【図２】図２は、移動無線システムにおいて値数に依存する伝送が行われる、非明示的に要求されたデータの伝送システムの概略図である。
【図１】
2008263628.tif 000003
【図２】
2008263628.tif 000004